(57)【要約】【課題】本発明は、サーバに蓄積済みの印刷データにクライアント端末の指示に応じて編集した新たな印刷データをプリンタで印刷する情報処理システム及びサーバに関する。【解決手段】情報処理システム１は、クライアント端末２がサーバ３の記憶装置１１内の印刷データのうち、印刷を希望するデータ部分を特定する印刷希望データをサーバ３に送信し、サーバ３が印刷データのうち印刷希望データに合致するデータ部分をクライアント端末２に送信し、クライアント端末２が検索結果に基づいて印刷希望データの全体に対する編集処理と印刷希望データの文字、イメージ、図に対する編集処理を指定する付加情報を印刷希望データに付与してサーバ３に送信し、サーバ３が受信した印刷希望データと付加情報から記憶装置１１の印刷希望データと合致する印刷データを文字、イメージ、図の付加情報を優先させて編集処理した新たな印刷データを作成しプリンタ４で印刷させる。【選択図】          図１
2006260247.tif 000002
【特許請求の範囲】
【請求項１】
クライアント端末、サーバ及びプリンタがネットワーク上に接続され、前記クライアント端末が印刷データを前記サーバに送って印刷要求し、前記サーバが当該印刷データを記憶手段に蓄積した後、前記プリンタに当該印刷データを送って、当該プリンタが当該印刷データに基づいて印刷処理するネットワークシステムにおいて、前記クライアント端末が、前記サーバの前記記憶手段に記憶されている前記印刷データのうち、印刷を希望するデータ部分を特定する印刷希望データを当該サーバに送信し、当該サーバが当該送られてきた印刷希望データに基づいて前記記憶手段の前記印刷データを検索して少なくとも当該印刷希望データに合致するデータ部分を検索結果として前記クライアント端末に送信し、当該クライアント端末が当該検索結果に基づいて前記印刷希望データの全体に対する編集処理と当該印刷希望データの文字、イメージ、図の少なくともいずれかに対する各種編集処理が指定されると、当該編集処理を指定する付加情報を当該印刷希望データに付与して前記サーバに送信し、当該サーバが当該受信した印刷希望データと付加情報に基づいて前記記憶手段の前記印刷データのうち当該印刷希望データと合致する印刷データを当該文字、イメージ、図に対する付加情報を優先させて編集処理した新たな印刷データを作成し、当該新たな印刷データを前記プリンタに送信し、当該プリンタが当該新たな印刷データに基づいて印刷処理することを特徴とする情報処理システム。
【請求項２】
前記クライアント端末は、前記検索結果に基づいて前記印刷希望データの全体に対する編集処理と当該印刷希望データの文字、イメージ、図の少なくともいずれかに対する各種編集処理が指定されると、前記全体に対する編集処理を指定する付加情報を当該印刷希望データに付与するとともに、当該文字、イメージ、図に対する編集処理を指定する付加情報を当該文字、イメージ、図のデータに個別に付与して前記サーバに送信し、前記サーバは、当該受信した印刷希望データと付加情報に基づいて前記記憶手段の前記印刷データのうち当該印刷希望データと合致する印刷データを当該文字、イメージ、図に対する個別の付加情報を優先させて編集処理した新たな印刷データを作成することを特徴とする請求項２記載の情報処理システム。
【請求項３】
前記サーバは、前記新たな印刷データを作成する際に、前記印刷データに複数の画像が含まれていると、当該複数の画像のうちいずれの画像を印刷するかの選択要求を前記クライアント端末に送信し、当該クライアント端末から当該選択要求に応じて画像の選択結果が送信されてくると、前記印刷データの複数の画像のうち当該選択結果に応じた画像のみを印刷対象とする前記新たな印刷データを作成することを特徴とする請求項１または請求項２記載の情報処理システム。
【請求項４】
前記サーバは、前記検索結果を抽出した後、複数の前記印刷希望データが抽出され、かつ、前記クライアント端末から前記印刷データの印刷フォーマットに関する付加情報があると、当該印刷フォーマットの付加情報に基づいて前記複数の印刷希望データに対応する前記印刷データから新たな印刷データを作成し、当該作成した新たな印刷データを前記プリンタに送信し、当該プリンタが当該新たな印刷データに基づいて印刷処理することを特徴とする請求項１記載の情報処理システム。
【請求項５】
前記サーバは、前記クライアント端末から送られてきた付加情報として、前記印刷希望データを指定した検索不要情報が付加されていると、当該検索不要情報の付加されている印刷データについては前記検索を行わないことを特徴とする請求項１から請求項４のいずれかに記載の情報処理システム。
【請求項６】
クライアント端末及びプリンタとともにネットワーク上に接続され、前記クライアント端末から印刷要求とともに送られてきた印刷データを一旦記憶手段に蓄積した後、前記プリンタに当該印刷データを送って、当該プリンタで印刷処理させるサーバにおいて、前記クライアント端末から、前記記憶手段に記憶されている前記印刷データのうち、印刷を希望するデータ部分を特定する印刷希望データが送信されてくると、当該送られてきた印刷希望データに基づいて前記記憶手段の前記印刷データを検索して少なくとも当該印刷希望データに合致するデータ部分を検索結果として前記クライアント端末に送信し、当該クライアント端末から当該検索結果に基づいて前記印刷希望データの全体に対する編集処理と当該印刷希望データの文字、イメージ、図の少なくともいずれかに対する各種編集処理を指定する付加情報が当該印刷希望データに付与されて送信されてくると、当該印刷希望データと付加情報に基づいて前記記憶手段の前記印刷データのうち当該印刷希望データと合致するデータを当該文字、イメージ、図に対する付加情報を優先させて編集処理した新たな印刷データを作成し、当該新たな印刷データを前記プリンタに送信して、当該プリンタで印刷処理させることを特徴とするサーバ。
【請求項７】
前記サーバは、前記クライアント端末から、前記検索結果に基づいて前記印刷希望データの全体に対する編集処理を指定する付加情報が当該印刷希望データに付与されるとともに、当該印刷希望データの文字、イメージ、図の少なくともいずれかに対して各種編集処理を指定する付加情報が当該文字、イメージ、図のデータに個別に付与されて送信されてくると、当該印刷希望データと付加情報に基づいて前記記憶手段の前記印刷データのうち当該印刷希望データと合致する印刷データを当該文字、イメージ、図に対する個別の付加情報を優先させて編集処理した新たな印刷データを作成することを特徴とする請求項６記載の情報処理システム。
【請求項８】
前記サーバは、前記新たな印刷データを作成する際に、前記印刷データに複数の画像が含まれていると、当該複数の画像のうちいずれの画像を印刷するかの選択要求を前記クライアント端末に送信し、当該クライアント端末から当該選択要求に応じて画像の選択結果が送信されてくると、前記印刷データの複数の画像のうち当該選択結果に応じた画像のみを印刷対象とする前記新たな印刷データを作成することを特徴とする請求項６または請求項７記載のサーバ。
【請求項９】
前記サーバは、前記検索結果から複数の前記印刷希望データが抽出され、かつ、前記クライアント端末から前記印刷データの印刷フォーマットに関する付加情報があると、当該印刷フォーマットに基づいて前記複数の印刷希望データに対応する前記印刷データから新たな印刷データを作成し、当該作成した新たな印刷データを前記プリンタに送信し、当該プリンタが当該新たな印刷データに基づいて印刷処理することを特徴とする請求項６記載のサーバ。
【請求項１０】
前記サーバは、前記クライアント端末から送られてきた付加情報として、前記印刷希望データを指定した検索不要情報が付加されていると、当該検索不要情報の付加されているデータについては前記検索を行わないことを特徴とする請求項６から請求項９のいずれかに記載のサーバ。
【発明の詳細な説明】
【技術分野】
【０００１】
本発明は、情報処理システム及びサーバに関し、詳細には、サーバに蓄積されている印刷データにクライアント端末からの指示に応じて編集を加えて新たな印刷データを再構成してプリンタで印刷出力する情報処理システム及びサーバに関する。
【背景技術】
【０００２】
一般に、プリンタ等の画像形成装置は、ホストコンピュータ等のクライアント端末から印刷データを受信して、用紙カセット又は手差しトレイ内の用紙を搬送して、トナー転写部、定着部を通過させて、画像を形成して、装置外へ排出する。
【０００３】
例えば、ホストコンピュータから送信されてきたＰＤＬコードをＰＤＬ／マスク／ラスタ画像分離コントローラで分離解析し、多値ラスタ画像データをラスタ画像記憶部に転送し、マスクに関するコマンドはマスク部に転送し、それ以外は、ＰＤＬインタープリタ部に転送する。そして、ＰＤＬインタープリタ部は、ＰＤＬコマンドに基づいてＰＤＬラスタ画像データを展開し、マスク部はマスク情報を解析することになる。そして、ＰＤＬラスタ／ラスタ画像合成コントローラはＰＤＬラスタ画像データと多値ラスタ画像データに対してマスク処理を行い、合成されたカラー画像データをデジタルカラー複写機のプリンタ部から出力することで、文書や画像等を最適な処理で合成でき、且つ、ホストコンピュータから入力された他の画像データと合成可能なカラー画像処理システムがある（特許文献１参照）。
【０００４】
このような画像形成装置は、ハードディスク等の記憶装置を内蔵して、クライアント端末から順次印刷要求とともに送られてきた印刷データを、順次、記憶装置に蓄積した後、蓄積順に用紙に印刷処理して排出する。
【０００５】
また、従来、ネットワーク化が進み、複数のパーソナルコンピュータ等のクライアント端末と画像形成装置がネットワークを介して接続され、画像形成装置が複数のクライアント端末からの印刷データを順次受信して、順次、記憶装置に蓄積した後、蓄積順に用紙に印刷処理して排出する。
【０００６】
さらに、近年、複数のクライアント端末とサーバと画像形成装置がネットワーク上に接続された印刷システムが出現しており、この印刷システムは、サーバが各クライアント端末からの印刷データを一旦記憶装置に蓄積し、画像形成装置への印刷データの転送を制御することによって複数のクライアント端末からの印刷データの印刷出力を可能にしている。
【０００７】
また、従来、プリンタに出力する前に、プリンタに出力すべき印刷データを一時的にスプーリング・バッファに格納した後、プリンタドライバで取得した印刷管理情報に基づいて、スプーリング・バッファに格納されている印刷データに対して、プリンタドライバによりプリンタのインタプリタが行う処理とほぼ同様のシミュレーション処理を施し、ＣＰＵレベルでの描画命令、演算命令等を解析し、実行サイクル数テーブルを参照して、上記シミュレーションにより得られた命令群の実際のＣＰＵサイクル数を累計し、印刷データの印刷所要時間を算出し、その算出した印刷所要時間をコンソールのモニタに表示することで、印刷所要時間を知るようにした印刷装置がある（特許文献２参照）。
【０００８】
また、印刷中止信号を検出した際に、印刷ジョブの処理を中断し、その時点でのカウンタのカウンタ値に基づき印刷再開ページのページ番号を算出し、印刷開始信号を検出した際に、中断された印刷ジョブを最初から処理し、印刷再開ページに達するまでは、非印刷モードで動作させ、印刷再開ページ以降は、通常モードで動作させることで、印刷エラー発生時に印刷再開を可能とした印刷装置がある（特許文献３参照）。
【０００９】
そして、上記いずれの印刷システムにおいても、一旦、印刷データを画像形成装置やサーバの記憶装置に蓄積して印刷出力する場合にも、一旦クライアント端末から送信された印刷データは、印刷要求自体をキャンセルしない限り、印刷データの全てが印刷出力される。
【００１０】
したがって、クライアント端末側で、一旦送信した印刷データの一部分に印刷を希望しない部分が含まれている場合にも、印刷データの全てが印刷出力され、不必要な印刷データも印刷してしまうことになる。
【００１１】
そこで、本出願人は、先に、クライアント端末とサーバとプリンタとならなる情報処理システムにおいて、サーバは、記憶装置に印刷データを蓄積してクライアント端末からの希望データを蓄積データ内から検索して検索結果をクライアント端末に送信する検索送信手段と、クライアント端末からの付加情報と希望データに基づいて新しい印刷データを作成しその印刷データを副記憶装置に記憶するとともに、プリンタに出力する新印刷データ作成出力手段とを有する情報処理システムを提案している（特許文献４参照）。
【００１２】
【特許文献１】特開平５−２１０７２０号公報
【特許文献２】特開平８−２１２０２１号公報
【特許文献３】特開平１０−１７７４６４号公報
【特許文献４】特開２００４−２５８９２３号公報
【発明の開示】
【発明が解決しようとする課題】
【００１３】
しかしながら、上記特許文献４記載の従来技術にあっては、プリンタで印刷する印刷データの中から印刷に必要な部分のみを見つけ出して、印刷データに必要な加工を加えて、印刷出力することができ、利用性を向上させることができるが、サーバに蓄積されている印刷データに対してより一層適切な編集処理を施して、印刷処理することで、利用性のさらなる向上が要望されている。
【００１４】
そこで、本発明は、サーバの蓄積する印刷データのうち文字、イメージ、図の少なくともいずれかに対する各種編集処理を優先して行うことで、サーバの蓄積する印刷データのうちユーザの希望する印刷データ部分のみを、より高度な編集処理を施して印刷処理し、より一層利用性の良好な情報処理システム及びサーバを提供することを目的としている。
【課題を解決するための手段】
【００１５】
請求項１記載の発明の情報処理システムは、クライアント端末、サーバ及びプリンタがネットワーク上に接続され、前記クライアント端末が印刷データを前記サーバに送って印刷要求し、前記サーバが当該印刷データを記憶手段に蓄積した後、前記プリンタに当該印刷データを送って、当該プリンタが当該印刷データに基づいて印刷処理するネットワークシステムにおいて、前記クライアント端末が、前記サーバの前記記憶手段に記憶されている前記印刷データのうち、印刷を希望するデータ部分を特定する印刷希望データを当該サーバに送信し、当該サーバが当該送られてきた印刷希望データに基づいて前記記憶手段の前記印刷データを検索して少なくとも当該印刷希望データに合致するデータ部分を検索結果として前記クライアント端末に送信し、当該クライアント端末が当該検索結果に基づいて前記印刷希望データの全体に対する編集処理と当該印刷希望データの文字、イメージ、図の少なくともいずれかに対する各種編集処理が指定されると、当該編集処理を指定する付加情報を当該印刷希望データに付与して前記サーバに送信し、当該サーバが当該受信した印刷希望データと付加情報に基づいて前記記憶手段の前記印刷データのうち当該印刷希望データと合致する印刷データを当該文字、イメージ、図に対する付加情報を優先させて編集処理した新たな印刷データを作成し、当該新たな印刷データを前記プリンタに送信し、当該プリンタが当該新たな印刷データに基づいて印刷処理することにより、上記目的を達成している。
【００１６】
この場合、例えば、請求項２に記載するように、前記クライアント端末は、前記検索結果に基づいて前記印刷希望データの全体に対する編集処理と当該印刷希望データの文字、イメージ、図の少なくともいずれかに対する各種編集処理が指定されると、前記全体に対する編集処理を指定する付加情報を当該印刷希望データに付与するとともに、当該文字、イメージ、図に対する編集処理を指定する付加情報を当該文字、イメージ、図のデータに個別に付与して前記サーバに送信し、前記サーバは、当該受信した印刷希望データと付加情報に基づいて前記記憶手段の前記印刷データのうち当該印刷希望データと合致する印刷データを当該文字、イメージ、図に対する個別の付加情報を優先させて編集処理した新たな印刷データを作成するものであってもよい。
【００１７】
また、例えば、請求項３に記載するように、前記サーバは、前記新たな印刷データを作成する際に、前記印刷データに複数の画像が含まれていると、当該複数の画像のうちいずれの画像を印刷するかの選択要求を前記クライアント端末に送信し、当該クライアント端末から当該選択要求に応じて画像の選択結果が送信されてくると、前記印刷データの複数の画像のうち当該選択結果に応じた画像のみを印刷対象とする前記新たな印刷データを作成するものであってもよい。
【００１８】
さらに、例えば、請求項４に記載するように、前記サーバは、前記検索結果を抽出した後、複数の前記印刷希望データが抽出され、かつ、前記クライアント端末から前記印刷データの印刷フォーマットに関する付加情報があると、当該印刷フォーマットの付加情報に基づいて前記複数の印刷希望データに対応する前記印刷データから新たな印刷データを作成し、当該作成した新たな印刷データを前記プリンタに送信し、当該プリンタが当該新たな印刷データに基づいて印刷処理するものであってもよい。
【００１９】
また、例えば、請求項５に記載するように、前記サーバは、前記クライアント端末から送られてきた付加情報として、前記印刷希望データを指定した検索不要情報が付加されていると、当該検索不要情報の付加されている印刷データについては前記検索を行わないものであってもよい。
【００２０】
請求項６記載の発明のサーバは、クライアント端末及びプリンタとともにネットワーク上に接続され、前記クライアント端末から印刷要求とともに送られてきた印刷データを一旦記憶手段に蓄積した後、前記プリンタに当該印刷データを送って、当該プリンタで印刷処理させるサーバにおいて、前記クライアント端末から、前記記憶手段に記憶されている前記印刷データのうち、印刷を希望するデータ部分を特定する印刷希望データが送信されてくると、当該送られてきた印刷希望データに基づいて前記記憶手段の前記印刷データを検索して少なくとも当該印刷希望データに合致するデータ部分を検索結果として前記クライアント端末に送信し、当該クライアント端末から当該検索結果に基づいて前記印刷希望データの全体に対する編集処理と当該印刷希望データの文字、イメージ、図の少なくともいずれかに対する各種編集処理を指定する付加情報が当該印刷希望データに付与されて送信されてくると、当該印刷希望データと付加情報に基づいて前記記憶手段の前記印刷データのうち当該印刷希望データと合致するデータを当該文字、イメージ、図に対する付加情報を優先させて編集処理した新たな印刷データを作成し、当該新たな印刷データを前記プリンタに送信して、当該プリンタで印刷処理させることにより、上記目的を達成している。
【００２１】
この場合、例えば、請求項７に記載するように、前記サーバは、前記クライアント端末から、前記検索結果に基づいて前記印刷希望データの全体に対する編集処理を指定する付加情報が当該印刷希望データに付与されるとともに、当該印刷希望データの文字、イメージ、図の少なくともいずれかに対して各種編集処理を指定する付加情報が当該文字、イメージ、図のデータに個別に付与されて送信されてくると、当該印刷希望データと付加情報に基づいて前記記憶手段の前記印刷データのうち当該印刷希望データと合致する印刷データを当該文字、イメージ、図に対する個別の付加情報を優先させて編集処理した新たな印刷データを作成するものであってもよい。
【００２２】
また、例えば、請求項８に記載するように、前記サーバは、前記新たな印刷データを作成する際に、前記印刷データに複数の画像が含まれていると、当該複数の画像のうちいずれの画像を印刷するかの選択要求を前記クライアント端末に送信し、当該クライアント端末から当該選択要求に応じて画像の選択結果が送信されてくると、前記印刷データの複数の画像のうち当該選択結果に応じた画像のみを印刷対象とする前記新たな印刷データを作成するものであってもよい。
【００２３】
さらに、例えば、請求項９に記載するように、前記サーバは、前記検索結果から複数の前記印刷希望データが抽出され、かつ、前記クライアント端末から前記印刷データの印刷フォーマットに関する付加情報があると、当該印刷フォーマットに基づいて前記複数の印刷希望データに対応する前記印刷データから新たな印刷データを作成し、当該作成した新たな印刷データを前記プリンタに送信し、当該プリンタが当該新たな印刷データに基づいて印刷処理するものであってもよい。
【００２４】
また、例えば、請求項１０に記載するように、前記サーバは、前記クライアント端末から送られてきた付加情報として、前記印刷希望データを指定した検索不要情報が付加されていると、当該検索不要情報の付加されているデータについては前記検索を行わないものであってもよい。
【発明の効果】
【００２５】
本発明の情報処理システムによれば、クライアント端末が、ネットワークで接続されているサーバの記憶手段に記憶されている印刷データのうち、印刷を希望するデータ部分を特定する印刷希望データを当該サーバに送信し、サーバが送られてきた印刷希望データに基づいて記憶手段の印刷データを検索して少なくとも当該印刷希望データに合致するデータ部分を検索結果としてクライアント端末に送信し、クライアント端末が当該検索結果に基づいて印刷希望データの全体に対する編集処理と当該印刷希望データの文字、イメージ、図の少なくともいずれかに対する各種編集処理が指定されると、当該編集処理を指定する付加情報を当該印刷希望データに付与してサーバに送信し、当該サーバが当該受信した印刷希望データと付加情報に基づいて記憶手段の印刷データのうち当該印刷希望データと合致する印刷データを当該文字、イメージ、図に対する付加情報を優先させて編集処理した新たな印刷データを作成し、当該新たな印刷データをネットワークで接続されているプリンタに送信し、当該プリンタが当該新たな印刷データに基づいて印刷処理するので、サーバの蓄積する印刷データのうち文字、イメージ、図の少なくともいずれかに対する各種編集処理を優先して行って、サーバの蓄積する印刷データのうちユーザの希望する印刷データ部分のみを、より高度な編集処理を施して印刷処理することができ、より一層利用性を向上させることができる。
【００２６】
本発明のサーバによれば、ネットワークで接続されているクライアント端末から、記憶手段に記憶されている印刷データのうち、印刷を希望するデータ部分を特定する印刷希望データが送信されてくると、当該送られてきた印刷希望データに基づいて記憶手段の印刷データを検索して少なくとも当該印刷希望データに合致するデータ部分を検索結果として当該クライアント端末に送信し、当該クライアント端末から当該検索結果に基づいて印刷希望データの全体に対する編集処理と当該印刷希望データの文字、イメージ、図の少なくともいずれかに対する各種編集処理を指定する付加情報が当該印刷希望データに付与されて送信されてくると、当該印刷希望データと付加情報に基づいて記憶手段の印刷データのうち当該印刷希望データと合致するデータを当該文字、イメージ、図に対する付加情報を優先させて編集処理した新たな印刷データを作成し、当該新たな印刷データをプリンタに送信して、当該プリンタで印刷処理させるので、サーバの蓄積する印刷データのうち文字、イメージ、図の少なくともいずれかに対する各種編集処理を優先して行って、サーバの蓄積する印刷データのうちユーザの希望する印刷データ部分のみを、より高度な編集処理を施して印刷処理することができ、より一層利用性を向上させることができる。
【発明を実施するための最良の形態】
【００２７】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２８】
図１〜図８は、本発明の情報処理システム及びサーバの一実施例を示す図であり、図１は、本発明の情報処理システム及びサーバの一実施例を適用した情報処理システム１のシステムブロック構成図である。
【００２９】
図１において、情報処理システム１は、クライアント端末２とサーバ３とプリンタ４が図示しないＬＡＮ（Local Area Network）等のネットワーク上に接続されており、サーバ３は、少なくとも記憶手段としての記憶装置１１と副記憶装置１２を備えている。
【００３０】
クライアント端末２は、パーソナルコンピュータ等の情報処理装置であり、少なくともサーバ３とネットワークを介して通信する。クライアント端末２は、搭載するＯＳ（Operating System）上で動作するアプリケーションソフトウェアで作成、編集、修正等の行われた文書データに対して当該アプリケーションで印刷操作が行われると、プリンタドライバで印刷設定操作された印刷設定を付加した印刷要求とともに当該文書データを印刷データとしてサーバ３に送る。
【００３１】
また、クライアント端末２は、ディスプレイ（表示部）を備え、サーバ３の記憶装置１１に記憶されている印刷データＰＤ（図２参照）の概要を取得して、当該取得した印刷データＰＤの概要をクライアント端末２のディスプレイに表示する。この印刷データＰＤの概要は、例えば、印刷データＰＤのデータ名、記憶装置１１に印刷データＰＤが記憶された日付、印刷データＰＤのサイズ等である。
【００３２】
さらに、クライアント端末２は、印刷希望データをサーバ３に送って当該印刷希望データに合致する印刷データＰＤの検索を依頼し、当該検索依頼に応じて検索結果が送られてくると、当該検索結果を受信してディスプレイに表示して、付加情報Ｆａ（図２参照）の作成と印刷ページ（印刷部分）の選択を可能とする。クライアント端末２は、当該検索結果に基づいて付加情報Ｆａを作成すると、当該付加情報Ｆａと印刷希望データの印刷ページをサーバ３に送って印刷要求を行う。
【００３３】
サーバ３は、サーバ３の備えている記憶装置１１に印刷データＰＤを蓄積し、記憶装置１１に蓄積した印刷データＰＤをプリンタ４に送信して、プリンタ４でこの印刷データＰＤに基づいて印刷する。
【００３４】
また、サーバ３は、クライアント端末２から印刷希望データを受信すると、その受信した印刷希望データに合致する印刷データＰＤを、記憶装置１１に蓄積されている印刷データの中から検索し、当該印刷希望データに合致する検索結果をクライアント端末２に送信する。また、サーバ３は、クライアント端末２から検索結果に応じて送信される付加情報Ｆａと印刷希望データとに基づいて新しい印刷データＰＤを作成し、当該作成した新しい印刷データＰＤを副記憶装置１２に記憶するとともに、プリンタ４に送信して、プリンタ４でこの新しい印刷データＰＤに基づいて印刷する。なお、副記憶装置１２は、サーバ３がクライアント端末２の命令に従って、サーバ３の記憶装置１１の中から検索を行った検索結果やその情報を記憶する。
【００３５】
プリンタ４は、所定の印刷方式、例えば、電子写真方式で、サーバ３から送られてくる印刷データＰＤに基づいて画像を用紙に印刷出力する。
【００３６】
そして、上記サーバ３の記憶装置１１及び副記憶装置１２に記憶される印刷データＰＤは、図２に示すように、付加情報Ｆａとページの情報Ｐａとで構成されており、印刷データＰＤの一番最初に、付加情報Ｆａが配置されている。付加情報Ｆａは、ページを印刷する際の紙の大きさ、紙に合わせた文字の大きさ、印刷枚数、印刷方向等の情報である。印刷データＰＤは、付加情報Ｆａの次に、各ページの情報Ｐａが含まれている。なお、図２に示す各ページの情報Ｐａは、例えば、図３に示すように、各ページの情報Ｐａの最初に、ページの始まりを示す情報Ｐｉが配置され、最後に、ページの終わりを示す情報Ｐｅが配置されていて、ページの始まりを示す情報Ｐｉとページの終わりを示す情報Ｐｅの間に、文字データＭｉ、イメージデータＩｉ、図データＤｉ等の各データが区切られて含まれている。なお、付加情報Ｆａは、図３に、文字データＭｉ、イメージデータＩｉ、図データＤｉの横に、付加情報Ｆｍ、Ｆｉ、Ｆｄとして示すように、文字データＭｉ、イメージデータＩｉ、図データＤｉのそれぞれのオブジェクトに個別に付加してもよい。
【００３７】
情報処理システム１は、通常の印刷処理を行う場合、クライアント端末２からサーバ３に印刷データＰＤを送信し、サーバ３が、クライアント端末２から送信されてきた印刷データＰＤを記憶装置１１に記憶する。サーバ３は、印刷データＰＤの受信が完了するか、印刷データＰＤに含まれる付加情報Ｆａとページの情報Ｐａとを受け取った時点で、プリンタ４に印刷データＰＤを送信し、プリンタ４が、サーバ３から送られてきた印刷データＰＤの印刷処理を行う。なお、サーバ３は、クライアント端末２から受信した印刷データＰＤの中に個別に付加情報Ｆｍ、Ｆｉ、Ｆｄが存在する場合には、その印刷データＭｉ、Ｉｉ、Ｄｉを優先して処理を行う。したがって、クライアント端末２が、図３に示したように、文字データＭｉ、イメージデータＩｉ、図データＤｉに対して、個別に付加情報Ｆｍ、Ｆｉ、Ｆｄを加え、その個別の付加情報Ｆｍ、Ｆｉ、Ｆｄを加えた印刷データＭｉ、Ｆｉ、Ｆｄをサーバ３に送信し、サーバ３が、新しい印刷データＰＤを作成する際に、個別に加えられている付加情報Ｆｍ、Ｆｉ、Ｆｄを優先して処理することができる。
【００３８】
次に、本実施例の作用を説明する。まず、クライアント端末２からサーバ３に希望印刷データの検索を依頼して、サーバ３で検索された検索結果に基づいて、クライアント端末２で、検索結果データに付加情報Ｆａを付加した印刷データを作成して、サーバ３に印刷要求を行う検索・印刷データ作成処理について、図４〜図６に基づいて説明する。
【００３９】
クライアント端末２で、サーバ３に対して検索要求を行う場合、キーボードやマウス等の操作部で、クライアント端末２のディスプレイに、図４に示すような検索画面Ｇ１を表示させ、この検索画面Ｇ１で検索条件の設定を行う。
【００４０】
そして、図５に示すように、クライアント端末２のユーザが、クライアント端末２の操作部を用いて、図４の検索画面Ｇ１から、まず、検索対象サーバ３を設定する（ステップＳ１０１）。なお、検索対象となるサーバ３は、ネットワーク上に複数存在するときには、複数のサーバ３を設定することができる。
【００４１】
次に、ユーザが、クライアント端末２の操作部を用いて、図４の検索画面Ｇ１から検索する内容を設定する（ステップＳ１０２）。例えば、図４の「文字を検索」、「イメージを検索」、「図を検索」のうち少なくとも何れかを設定し、図４の検索画面Ｇ１上の検索ボタンＢ１を押下する。
【００４２】
クライアント端末２は、検索ボタンＢ１が押下されたことを認識すると（ステップＳ１０３）、図４の検索画面Ｇ１によって設定された検索内容の情報を検索対象のサーバ３に送信する（ステップＳ４）。
【００４３】
サーバ３は、クライアント端末２から検索内容の情報を受信すると、その受信した検索内容の情報に基づいてサーバ３の記憶装置１１を検索し、クライアント端末２から受信した検索内容に応じた検索結果を、記憶装置１１から取得して、取得した検索結果を検索要求先のクライアント端末２に送信する。
【００４４】
クライアント端末２は、図４の検索画面Ｇ１で設定された検索内容に応じた検索結果が送られてくると、当該検索結果を受信し（ステップＳ１０５）、例えば、図６に示すように、当該受信した検索結果をディスプレイに検索結果画面Ｇ２として表示する（ステップＳ１０６）。
【００４５】
なお、ユーザが、例えば、クライアント端末２のディスプレイに表示された検索画面Ｇ１上から文字を検索する内容を設定し、クライアント端末２が、その文字を検索する検索内容の情報をサーバ３に送信した場合には、サーバ３は、記憶装置１１に記憶されている印刷データＰＤに含まれる文字データをページ毎に検索し、当該指定された検索文字データの含まれているページを印刷データＰＤから取得して検索結果としてクライアント端末２に送信し、クライアント端末２がその検索結果を受け取って、ディスプレイに検索結果画面Ｇ２に表示する。
【００４６】
また、ユーザが、例えば、図４の検索画面Ｇ１上からイメージと図を検索する内容を設定し、クライアント端末２が、そのイメージと図とを検索する検索内容の情報をサーバ３に送信した場合には、サーバ３は、記憶装置１１に記憶されている印刷データＰＤに含まれる検索イメージデータに合致するイメージデータ、検査屑に合致する図データを検索し、それらのイメージデータ、図データの含まれるページを印刷データＰＤから取得して検索結果としてクライアント端末２に送信し、クライアント端末２がその検索結果を受け取って、ディスプレイに検索結果画面Ｇ２に表示する。
【００４７】
なお、クライアント端末２は、上述のように、サーバ３から取得した検索結果に基づいてディスプレイ上に、図６に示したような検索結果画面Ｇ２に検索結果のページを一覧表示する。
【００４８】
そして、クライアント端末２のユーザが、操作部を操作して、ディスプレイ上に表示される図６の検索結果画面Ｇ２の検索結果のページにチェックを付けると、クライアント端末２は、チェックの付与されたページを印刷対象のページと認識し（ステップＳ１０７）、また、ユーザが、操作部を操作して、ディスプレイに表示されている図６の検索結果画面Ｇ２上の付加情報Ｆａをチェックを付けると、クライアント端末２は、チェックの付与されたページを印刷対象のページと認識する（ステップＳ１０８）。この付加情報Ｆａの選択に応じて、印刷ページの印刷状態に変更を加えることができる。
【００４９】
すなわち、図６の検索結果用画面Ｇ２上の印刷ページがチェックされた場合は、そのチェックされた印刷ページの情報全てをプリンタ４で印刷することになり、図６の検索結果画面Ｇ２上の印刷ページがチェックされない場合には、そのチェックされない印刷ページの文字なら文字だけ、当該印刷ページのイメージならイメージだけが、プリンタ４で印刷されることになる。
【００５０】
また、図６の検索結果画面Ｇ２上の「複数枚印刷」項目がチェックされ、枚数が指定されると、その枚数分の印刷をプリンタ４で行うことになる。なお、図６の検索結果画面Ｇ２上の「イメージ、図の拡大」項目と「イメージ、図を明るくする」項目の付加情報Ｆａは、ページを印刷、文字を検索内容とした場合には、効果がないが、イメージや図が検索内容となっている場合には、紙の大きさに合わせて検索内容を拡大したり、明るみを帯びたイメージや図にする。また、「文字を太くする」項目の付加情報Ｆａは、文字のみに効果があり、「サムネイル」項目がチェックされている場合は、検索結果全てが紙一枚に収まるように縮小して、印刷することとなる。
【００５１】
このように、クライアント端末２が、図５の検索結果画面Ｇ２上で新しい印刷データＰＤを作成する際の印刷フォーマットに関する付加情報を加えた印刷データＰＤをサーバ３に送信することで、サーバ３が、クライアント端末２から受信した付加情報Ｆａを加えた印刷データＰＤを基に、新しい印刷データＰＤを作成することができる。
【００５２】
次に、クライアント端末２のユーザが、クライアント端末２の操作部を用いて、クライアント端末２のディスプレイ上に表示されている図６の検索結果画面Ｇ２上から選択した印刷データＰＤの印刷処理を行いたいプリンタ４を対象プリンタとして選択し（ステップＳ１０９）、図６の検索結果画面Ｇ２上の印刷ボタンＢ２を押下する（ステップＳ１１０）。
【００５３】
クライアント端末２は、印刷ボタンＢ２が押下されたことを認識すると、図６の検索結果画面Ｇ２上で選択された印刷対象のページと付加情報Ｆａと対象プリンタの情報をサーバ３に送信する（ステップＳ１１１）。
【００５４】
なお、サーバ３は、受信した印刷対象のページ内に複数の画像が存在する場合には、サーバ３は、印刷対象ページの図のみの印刷処理要求をプリンタ４に行うことになる。その際、図７に示すように、それぞれの図には、連番を付与して、プリンタ４に印刷させる。そして、サーバ３は、その連番を付与した図７に示す画面データをクライアント端末２に送信する。クライアント端末２は、サーバ３から送られてきた画面データに基づいて、図７に示したような連番を付与した図の画面をディスプレイに表示する。ユーザが、クライアント端末２の操作部を用いて、図７の連番図の画面の中から印刷したい図の番号を選択すると、その選択された図の番号をクライアント端末２がサーバ３に送信する。サーバ３は、送信されてきた選択図の番号の図のみをプリンタ４に印刷させる。
【００５５】
このように、サーバ３は、付加情報Ｆａの付与されている新しい印刷データＰＤを作成する際に、印刷データＰＤの中に複数の画像があると判定した場合、複数の画像の中からどの画像を印刷するのかを選択するための選択要求をクライアント端末２に送信し、クライアント端末２から選択要求に応じた画像の印刷データＰＤの情報をサーバ３が受信したときに、その選択要求に応じた画像の印刷データＰＤのみの印刷データＰＤをプリンタ４に送信することで、クライアント端末２でのユーザの選択要求に応じた画像の印刷データＰＤのみをプリンタ４で印刷することができる。
【００５６】
次に、図８に基づいて、サーバ３でのクライアント端末２からの検索対象と内容を受信したときの処理動作について説明する。
【００５７】
サーバ３は、クライアント端末２から検索対象となる印刷希望データと検索内容の情報を受信すると（ステップＳ２０１）、当該受信した検索対象となる印刷希望データと検索内容の情報に基づいて、サーバ３の記憶装置１１を検索する際の検索キーとなる検索内容を設定する（ステップＳ２０２）。
【００５８】
次に、サーバ３は、上記設定した検索内容に基づいて、サーバ３の記憶装置１１に蓄積されている印刷データＰＤの検索を行い、上記設定した検索内容に合致する印刷データＰＤを記憶装置１１から取得し（ステップＳ２０３）、当該取得した検索結果を副記憶装置１２に保存するとともに（ステップＳ２０４）、副記憶装置１２に保存した検索結果の情報をクライアント端末２に送信する（ステップＳ２０５）。
【００５９】
なお、付加情報Ｆａに検索対象外であることを示す検索不要情報が含まれている場合には、サーバ３は、当該検索不要情報の付加情報Ｆａの付与されている印刷希望データについては、検索対象外として、当該データについては、検索を行わない。
【００６０】
クライアント端末２は、検索結果を受信すると、上述のように、当該検索結果を検索結果画面Ｇ２に表示して、当該検索結果画面Ｇ２での選択設定に応じて印刷ページと付加情報Ｆａと対象プリンタの情報をサーバ３に送信する（図５のステップＳ１０５〜Ｓ１１１）。
【００６１】
そして、サーバ３は、クライアント端末２から印刷対象のページと付加情報Ｆａと対象プリンタ４の情報を受信すると（ステップＳ２０６）、その受信した付加情報Ｆａに基づいて付加情報用のデータを作成し、作成した付加情報用のデータと印刷対象ページとを合わせて、新しい印刷データＰＤとして副記憶装置１２に記録する（ステップＳ２０７〜ステップＳ２０９）。サーバ３は、副記憶装置１２に記録した当該新しい印刷データＰＤを対象プリンタ４に送信する（ステップＳ２１０）。
【００６２】
対象プリンタ４は、サーバ３から新しい印刷データＰＤを受信すると、当該受信した新しい印刷データＰＤに基づいて印刷処理を行う。また、プリンタ４は、受信した新しい印刷データの中に、プリンタで処理が必要な付加情報Ｆａがあると、プリンタ４で処理を行う。例えば、「白黒印刷」が指示されている場合には、印刷データＰＤがカラーデータであっても、白黒で印刷を行う。
【００６３】
このように、本実施例の情報処理システム１は、クライアント端末２が、ネットワークで接続されているサーバ３の記憶装置１１に記憶されている印刷データＰＤのうち、印刷を希望するデータ部分を特定する印刷希望データをサーバ３に送信し、サーバ３が送られてきた印刷希望データに基づいて記憶装置１１の印刷データＰＤを検索して少なくとも当該印刷希望データに合致するデータ部分を検索結果としてクライアント端末２に送信し、クライアント端末２が当該検索結果に基づいて印刷希望データの全体に対する編集処理と当該印刷希望データの文字、イメージ、図の少なくともいずれかに対する各種編集処理が指定されると、当該編集処理を指定する付加情報Ｆａを当該印刷希望データに付与してサーバ３に送信し、当該サーバ３が当該受信した印刷希望データと付加情報Ｆａに基づいて記憶装置１１の印刷データＰＤのうち当該印刷希望データと合致する印刷データＰＤを当該文字、イメージ、図に対する付加情報Ｆａを優先させて編集処理した新たな印刷データＰＤを作成し、当該新たな印刷データＰＤをネットワークで接続されているプリンタ４に送信し、当該プリンタ４が当該新たな印刷データＰＤに基づいて印刷処理している。
【００６４】
したがって、サーバ３の蓄積する印刷データＰＤのうち文字、イメージ、図の少なくともいずれかに対する各種編集処理を優先して行って、サーバ３の蓄積する印刷データＰＤのうちユーザの希望する印刷データ部分のみを、より高度な編集処理を施して印刷処理することができ、より一層利用性を向上させることができる。
【００６５】
また、本実施例の情報処理システム１は、クライアント端末２が、検索結果に基づいて印刷希望データの全体に対する編集処理と当該印刷希望データの文字、イメージ、図の少なくともいずれかに対する各種編集処理が指定されると、全体に対する編集処理を指定する付加情報Ｆａを当該印刷希望データに付与するとともに、当該文字、イメージ、図に対する編集処理を指定する付加情報Ｆｍ、Ｆｉ、Ｆｄを当該文字、イメージ、図のデータＭｉ、Ｉｉ、Ｄｉに個別に付与してサーバ３に送信し、サーバ３が、当該受信した印刷希望データと付加情報Ｆａに基づいて記憶装置１１の印刷データＰＤのうち当該印刷希望データと合致する印刷データＰＤを当該文字、イメージ、図Ｍｉ、Ｉｉ、Ｄｉに対する個別の付加情報Ｆｍ、Ｆｉ、Ｆｄを優先させて編集処理した新たな印刷データを作成する。
【００６６】
したがって、サーバ３の蓄積する印刷データＰＤのうちユーザの希望する印刷データ部分のみを、より一層高度な編集処理を施して印刷処理することができ、より一層利用性を向上させることができる。
【００６７】
さらに、本実施例の情報処理システム１は、サーバ３が、新たな印刷データＰＤを作成する際に、印刷データＰＤに複数の画像が含まれていると、当該複数の画像のうちいずれの画像を印刷するかの選択要求をクライアント端末２に送信し、クライアント端末２から当該選択要求に応じて画像の選択結果が送信されてくると、印刷データＰＤの複数の画像のうち当該選択結果に応じた画像のみを印刷対象とする新たな印刷データＰＤを作成している。
【００６８】
したがって、ユーザの意図する画像を適切に印刷処理することができ、より一層利用性を向上させることができる。
【００６９】
また、本実施例の情報処理システム１は、サーバ３が、検索結果を抽出した後、複数の印刷希望データが抽出され、かつ、クライアント端末２から印刷データＰＤの印刷フォーマットに関する付加情報Ｆａがあると、当該印刷フォーマットの付加情報Ｆａに基づいて複数の印刷希望データに対応する印刷データＰＤから新たな印刷データＰＤを作成し、当該作成した新たな印刷データＰＤをプリンタ４に送信し、プリンタ４が当該新たな印刷データＰＤに基づいて印刷処理している。
【００７０】
したがって、複数の印刷データＰＤを１つのフォーマットで印刷出力することができ、利用性をより一層向上させることができる。
【００７１】
さらに、本実施例の情報処理システム１は、サーバ３が、クライアント端末２から送られてきた付加情報Ｆａとして、印刷希望データを指定した検索不要情報が付加されていると、当該検索不要情報の付加されている印刷データについては検索を行わない。
【００７２】
したがって、検索時間を短縮して、利用性をより一層向上させることができるとともに、機密を要する印刷希望データについては、検索を行うことなく印刷処理することで、機密を適切に保持することができる。
【００７３】
また、本実施例のサーバ３は、クライアント端末２及びプリンタ４とともにネットワーク上に接続され、クライアント端末２から印刷要求とともに送られてきた印刷データＰＤを一旦記憶装置１１に蓄積した後、プリンタ４に送って、当該プリンタ４で印刷処理させるに際して、クライアント端末２から、記憶装置１１に記憶されている印刷データＰＤのうち、印刷を希望するデータ部分を特定する印刷希望データが送信されてくると、当該送られてきた印刷希望データに基づいて記憶装置１１の印刷データＰＤを検索して少なくとも当該印刷希望データに合致するデータ部分を検索結果としてクライアント端末２に送信し、クライアント端末２から当該検索結果に基づいて印刷希望データの全体に対する編集処理と当該印刷希望データの文字、イメージ、図の少なくともいずれかに対する各種編集処理を指定する付加情報Ｆａが当該印刷希望データに付与されて送信されてくると、当該印刷希望データと付加情報Ｆａに基づいて記憶装置１１の印刷データＰＤのうち当該印刷希望データと合致するデータを当該文字、イメージ、図に対する付加情報Ｆａを優先させて編集処理した新たな印刷データＰＤを作成し、当該新たな印刷データＰＤをプリンタ４に送信して、当該プリンタ４で印刷処理させている。
【００７４】
したがって、サーバ３の蓄積する印刷データＰＤのうち文字、イメージ、図の少なくともいずれかに対する各種編集処理を優先して行って、サーバ３の蓄積する印刷データＰＤのうちユーザの希望する印刷データ部分のみを、より高度な編集処理を施して印刷処理することができ、より一層利用性を向上させることができる。
【００７５】
また、本実施例のサーバ３は、クライアント端末２から、検索結果に基づいて印刷希望データの全体に対する編集処理を指定する付加情報Ｆａが当該印刷希望データに付与されるとともに、当該印刷希望データの文字Ｍｉ、イメージＩｉ、図Ｄｉの少なくともいずれかに対して各種編集処理を指定する付加情報Ｆｍ、Ｆｉ、Ｆｄが当該文字、イメージ、図のデータＭｉ、Ｉｉ、Ｄｉに個別に付与されて送信されてくると、当該印刷希望データと付加情報Ｆｍ、Ｆｉ、Ｆｄに基づいて記憶装置１１の印刷データＰＤのうち当該印刷希望データと合致する印刷データＰＤを当該文字Ｍｉ、イメージＩｉ、図Ｄｉに対する個別の付加情報Ｆｍ、Ｆｉ、Ｆｄを優先させて編集処理した新たな印刷データＰＤを作成している。
【００７６】
したがって、サーバ３の蓄積する印刷データＰＤのうちユーザの希望する印刷データ部分のみを、より一層高度な編集処理を施して印刷処理することができ、より一層利用性を向上させることができる。
【００７７】
さらに、本実施例のサーバ３は、新たな印刷データＰＤを作成する際に、印刷データＰＤに複数の画像が含まれていると、当該複数の画像のうちいずれの画像を印刷するかの選択要求をクライアント端末２に送信し、クライアント端末２から当該選択要求に応じて画像の選択結果が送信されてくると、印刷データＰＤの複数の画像のうち当該選択結果に応じた画像のみを印刷対象とする新たな印刷データＰＤを作成している。
【００７８】
したがって、ユーザの意図する画像を適切に印刷処理することができ、より一層利用性を向上させることができる。
【００７９】
また、本実施例のサーバ３は、検索結果から複数の印刷希望データが抽出され、かつ、クライアント端末２から印刷データＰＤの印刷フォーマットに関する付加情報Ｆａがあると、当該印刷フォーマットに基づいて複数の印刷希望データに対応する印刷データＰＤから新たな印刷データＰＤを作成し、当該作成した新たな印刷データＰＤをプリンタ４に送信し、プリンタ４が当該新たな印刷データＰＤに基づいて印刷処理している。
【００８０】
したがって、複数の印刷データＰＤを１つのフォーマットで印刷出力することができ、利用性をより一層向上させることができる。
【００８１】
さらに、本実施例のサーバ３は、クライアント端末２から送られてきた付加情報Ｆａとして、印刷希望データを指定した検索不要情報が付加されていると、当該検索不要情報の付加されているデータについては検索を行わない。
【００８２】
したがって、検索時間を短縮して、利用性をより一層向上させることができるとともに、機密を要する印刷希望データについては、検索を行うことなく印刷処理することで、機密を適切に保持することができる。
【００８３】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００８４】
ネットワーク等でプリンタ、複合装置等の画像形成装置、コンピュータ等のクライアント端末及びコンピュータ等のサーバが接続されていて、サーバに蓄積されている印刷データのうち、必要な部分の印刷データのみを必要な処理を施して印刷して、データの有効活用と編集の効率化及び資源の無駄を省く情報処理システム及びサーバに適用することができる。
【図面の簡単な説明】
【００８５】
【図１】本発明の情報処理システム及びサーバの一実施例を適用した情報処理システムのシステムブロック構成図。
【図２】図１のクライアント端末からサーバに送る付加情報の付与されている印刷データのデータ構成の一例を示す図。
【図３】図２のページ情報のデータ構成の一例を示す図。
【図４】図１のクライアント端末のディスプレイに表示される検索画面の一例を示す図。
【図５】図１のクライアント端末での検索・印刷データ作成処理を示すフローチャート。
【図６】図５の検索・印刷データ作成処理でクライアント端末のディスプレイに表示される検索結果画面の一例を示す図。
【図７】図６の検索・印刷データ作成処理で印刷対象ページが図のみの場合にサーバからクライアント端末に送信する連番図の一例を示す図。
【図８】図１のサーバでの検索・新印刷データ作成処理を示すフローチャート。
【符号の説明】
【００８６】
１  情報処理システム
２  クライアント端末
３  サーバ
４  プリンタ
１１  記憶装置
１２  副記憶装置
ＰＤ  印刷データ
Ｆａ  付加情報
Ｐａ  ページの情報
Ｐｉ  ページの始まりを示す情報
Ｐｅ  ページの終わりを示す情報
Ｍｉ  文字データ
Ｉｉ  イメージデータ
Ｄｉ  図データ
Ｆｍ、Ｆｉ、Ｆｄ  付加情報
Ｇ１  検索画面
Ｇ２ 検索結果画面
Ｂ１  検索ボタン
Ｂ２  印刷ボタン
【図１】
2006260247.tif 000003
【図２】
2006260247.tif 000004
【図３】
2006260247.tif 000005
【図４】
2006260247.tif 000006
【図５】
2006260247.tif 000007
【図６】
2006260247.tif 000008
【図７】
2006260247.tif 000009
【図８】
2006260247.tif 000010